(57)【特許請求の範囲】
【請求項１】
壁面に沿って設けられる手摺りを壁面から支持する手摺り支持具において、
前記壁面に固定される固定部材と、一端側に前記手摺りを取り付ける取付面を備えた手摺り側部分及び他端側に前記固定部材に対して間隔を隔てて対向する壁側部分を備えた支持部材と、前記固定部材と前記壁側部分との間に介在し前記間隔を形成するように相互間が球面状接触関係になっている固定部材側接触部及び支持部材側接触部と、前記球面状接触関係部分の中心から離れた少なくとも３位置であって前記中心を含む線の両側に分けられた３位置で前記壁側部分の前記固定部材への取付け及び前記間隔の調整を可能にする取付調整手段と、を有することを特徴とする手摺り支持具。
【請求項２】
前記手摺り側部分と前記壁側部分とは前記手摺り側部分が前記壁面に対してほぼ直角の方向に移動可能な支持関係を持って別体として形成されていて、前記手摺り側部分を前記ほぼ直角の方向に移動可能にする距離調整手段を有することを特徴とする請求項１に記載の手摺り支持具。
【請求項３】
前記手摺り側部分と前記壁側部分とは前記手摺り側部分が前記壁面に対してほぼ直角の方向の軸を中心として回転可能な支持関係を持って別体として形成されていることを特徴とする請求項１に記載の手摺り支持具。
【発明の詳細な説明】
【０００１】
【発明の属する技術分野】
本発明は、壁面に沿って設けられる手摺りを壁面から支持する手摺り支持具に関し、特に手摺りの取付調整技術に関する。
【０００２】
【従来の技術】
階段や廊下等の壁面に手摺りを取り付ける方法としては、手摺りとその支持具とを予め取り付けておき、支持具をネジ等で壁面に取り付ける後付けや、壁面に取付位置を罫書いてその位置に支持具を取り付け、その後支持具にネジ等で手摺りを固定する方法等が行われている。ところが、壁面には、局部的に又は広い範囲で平坦性や直線性に欠けるものが多く、手摺りを支持する複数の支持具を取り付ける位置の壁面が、同じ向きに向いていないと共に、同一平面から出入りしていることが多い。
【０００３】
一方、従来の手摺り支持具は、通常、金属や樹脂等の一体成形品になっている。そのため、支持具と手摺りとの間又は支持具と壁面との間の少なくとも一方で無理な取付状態が発生する。その場合には、手摺りが出入りのある壁面精度に倣って曲げられ、その真直度が阻害されたり、取付状態が悪いために取付強度が不足したり、無理やり取り付けてネジ山を潰す等によって取付工事に手間取ったりする。
【０００４】
なお、従来の手摺り支持具の中には、肘に相当する部分を一方向に回転調整可能にしたものもある。しかし、この調整では一方向のみしか調整できず、殆ど上記の諸問題を解決するには至らない。
【０００５】
【発明が解決しようとする課題】
本発明は従来技術に於ける上記問題を解決し、手摺りの直線性を維持でき、取付強度を確保でき、更に取付工事の簡単な手摺り支持具を提供することを課題とする。
【０００６】
【課題を解決するための手段】
本発明は上記課題を解決するために、壁面に沿って設けられる手摺りを壁面から支持する手摺り支持具において、
前記壁面に固定される固定部材と、一端側に前記手摺りを取り付ける取付面を備えた手摺り側部分及び他端側に前記固定部材に対して間隔を隔てて対向する壁側部分を備えた支持部材と、前記固定部材と前記壁側部分との間に介在し前記間隔を形成するように相互間が球面状接触関係になっている固定部材側接触部及び支持部材側接触部と、前記球面状接触関係部分の中心から離れた少なくとも３位置であって前記中心を含む線の両側に分けられた３位置で前記壁側部分の前記固定部材への取付け及び前記間隔の調整を可能にする取付調整手段と、を有することを特徴とする。
【０００７】
請求項２の発明は、上記に加えて、前記手摺り側部分と前記壁側部分とは前記手摺り側部分が前記壁面に対してほぼ直角の方向に移動可能な支持関係を持って別体として形成されていて、前記手摺り側部分を前記ほぼ直角の方向に移動可能にする距離調整手段を有することを特徴とする。
【０００８】
請求項３の発明は、請求項１の発明の特徴に加えて、前記手摺り側部分と前記壁側部分とは前記手摺り側部分が前記壁面に対してほぼ直角の方向の軸を中心として回転可能な支持関係を持って別体として形成されていることを特徴とする。
【０００９】
【発明の実施の形態】
図１及び図２は本発明を適用した手摺り支持具の一例を示す。
手摺り支持具は、壁面１００に沿って設けられる手摺り２００をその方向に一定ピッチの複数位置で壁面１００から支持するもので、固定部材としての支持基板１、支持部材の手摺り側部分としての腕２及び壁側部分としての中間リング３、固定部材側接触部としてのボール４及び支持部材側接触部としての接触座３１、取付調整手段としての角度調整ネジ５、距離調整手段としての前後調整ネジ６、等を有する。
【００１０】
支持基板１は、壁面１００にネジ１１で固定するための穴１２、角度調整ネジ５と螺合するネジ穴１３、ボール４の嵌め込まれる中心穴１４、取付位置決め用のピン針１５等を有する。穴１２とネジ穴１３とはそれぞれ３個づつ交互にほぼ等ピッチで同心円状に設けられている。
【００１１】
腕２は、一端側に手摺り２００を取り付けるための取付面２１を備え、９０°に近い角度湾曲していて、壁面に対してほぼ直角になっている根元側は中間リング３に回転及び摺動自在に支持されている。この部分には、前後調整のための操作穴２２が設けられている。取付面２１は、断面が円弧状で手摺り２００の長さ方向に延設されていて、ネジ２３によって手摺りを取り付けるための皿穴２４を有する。
【００１２】
中間リンク３は、ケーシングを兼ねていて基板１を覆うと共に腕２の端を覆っていて、前記接触座３１、支持基板１に対して間隔ｄを隔てて対向する対向面３２、腕２の根元側部分を支持するボス部３３、支持基板１のネジ穴１３に対向する位置に設けられた皿穴３４、前後調整ネジ６と螺合するネジ穴３５、腕２の回転を固定するセットネジ３６、等を備えている。腕２の根元側部分と中間リング３のボス部３３とは、腕２が壁面１００に対してほぼ直角の方向に移動可能であると共に、その方向の軸３７を中心として回転可能な支持関係になるように別体として形成されている。
【００１３】
ボール４及び接触座３１は、支持基板１と中間リング３との間に介在し、前記間隔ｄを形成するように相互間が球面状接触関係を形成している。ボール４は、支持基板１の前記中心穴１４内にスウェージング加工によって固定され、抜け出しを防止されている。但し、中心穴１４内に単に嵌め込まれたり挿入されていてもよい。又、ボール４は支持基板１と一体加工されたものであってもよい。
【００１４】
なお、ボール４を中間リング３側に設け、接触座３１を支持基板１側に設けるようにしてもよい。更に、接触座３１を連続した部分球面状に形成することもできる。即ち、球面状支持関係は、所定の位置で支持基板１と中間リング３とが間隔ｄを維持できると共に、中間リング３が支持基板１に球面で支持・案内されることにより、中間リング３が壁面従って支持基板１の表面に対して円滑に回転できるように形成されていればよい。
【００１５】
角度調整ネジ５がねじ込まれる支持基板１のネジ穴１３及び中間リング３の皿穴３４は、図２（ａ）、（ｂ）に示す如く、球面状接触関係部分の中心であるボール４の中心４ａから離れた３位置であって中心４ａを含む線の１つである水平線４ｂの両側に分けられた３位置にある。本例では、これらが前述の如く基板取付用の穴１２と交互に配置され、それぞれが同心円上に１２０°の等角度で配置されている。
【００１６】
このようにすれば、それぞれの角度調整ネジ５を回すことにより、回す回数又は角度に対応してそれぞれの位置の間隔ｄを変化させることができる。但し、それぞれの穴間でその位置の角度や半径方向の寸法を多少変えて、調整代を変えるようにすることもできる。又、角度調整ネジ５を上記のような３位置に３個設ければ、ボール４部分の球面状接触関係を基準として、中間リング３を支持基板１で支持できるとともに中間リングの傾斜調整も可能になるが、更に支持状態の安定化や調整の容易化、精度向上を図れるように、取付・調整部分を３位置以上の位置に設けてもよい。
【００１７】
次に、以上のような手摺り支持具を用いたときの手摺りの取付・調整方法の一例について説明する。
例えば手摺り２００を３個の支持具で支持する場合には、まず両端の支持具を壁１００の所定位置に取り付ける。このときには、壁１００上に支持具の中心点を罫書いて少し凹ませ、そこに支持具のピン針１５を押し当てて突き刺し、支持基板１をネジ１１で３点で固定する。次に、腕２を挿入した中間リング３を支持基板１に被せて、ボール４に接触座３１を押し当て、角度調整ネジ５を適当に回転させ、角度調整面３２を支持基板面従って壁面にほぼ平行程度に設定する。このときには、前後調整ネジ６を初期の設定状態にしておき、セットネジ７を腕２が軽く回る程度に少し弛めておく。
【００１８】
この状態で、両端の支持具の腕２の取付面２１上に手摺り２００を載せる。この状態では、手摺り２００は壁面１００からほぼ同じ距離離れていてほぼ平行になっている。このとき、支持具位置の壁面１００の平坦度が悪いこと等によって取付面２１と手摺り２００の表面との接触状態が良くなければ、角度調整ネジ５を回して中間リング３の向きを任意の方向に変化させる。このときには、中間リング３の接触座３１がボール４で球面状の接触を保ちながら案内されるので、中間リング３の動きは滑らかに且つ無段階に行われる。
【００１９】
この調整によれば、腕２は、ボールの中心４ａを中心として紙面に平行な方向及び直角な方向の回転を基準としてこれらの合成された任意の回転をすることができる。これにより、支持面２１の壁との間隔、面の向く方向、面の捩じれ等を調整できる。又、手摺りの長さ方向に対する支持面２１の沿いは、腕２の中心軸３７を中心とした回転によって自動的調整される。従って、多くの場合この調整によって取付面２１と手摺り２００の表面は良好に接触することになり、調整を終了する。なお、手摺りの両端の支持具に代えて、一端と中間の支持具とを上記のように調整してもよい。
【００２０】
しかし、角度調整ネジ５で角度調整するときには、手摺りと壁との間隔が変化するので、それによって手摺りと取付面とが良く接触しなくなるときや、調整量が大きくて壁面との間隔を調整する必要があるときには、前後調整ネジ６を回転させ、腕２の前後方向即ち壁１００との間隔を調整する。
【００２１】
これらの調整が終わると中間の支持具を取り付ける。まず、手摺りの長さ方向の中間部分の予め罫書いた位置又は適当な位置に支持具を設定する。このときには、支持基板１を壁面１００に取り付け、腕２の嵌め込まれた中間リング３をその上に被せ、支持面２１と手摺り２００との接触状態を見る。これだけでは通常良好な接触状態が得られない。このときには、前後調整ネジ６と角度調整ネジ５とを並行して調整する。
【００２２】
例えば取付面が手摺りより下になっていて両者の間隔が開いているときには、角度調整ネジ５を回し、腕２が中心４ａを中心として紙面に平行に右回転するように調整すると共に、前後調整ネジ６で支持面が壁から離れる方向に調整し、これらの合成された動きによって支持面を上方に調整して手摺りに沿わせる。支持面に捩じれがあれば、角度調整ネジ５で調整する。なおこの調整では、手摺りの自重による撓みも考慮に入れ、取付面を手摺りに多少強く接触させ、この部分で両端の支持面の支持荷重を分担させるようにする。１本の手摺りに支持具を４個以上取り付ける場合にも、同様の方法で調整できる。
【００２３】
全ての支持具の調整が終了すると、セットネジ３６を締め付け、支持具が固定された状態でネジ２２によって手摺り２００を取付面２１に取付・固定する。この場合、全ての取付面が手摺りに均一に接触しほぼ均一に荷重分担した状態で手摺りを固定できるので、手摺りの垂直方向の直線性を維持できる。又、取付面と手摺りとが良好な接触状態で結合されているので、手摺りには無理な曲げ力等が作用せず、手摺りの全ての方向の直線性が維持される。そして、手摺りと壁面とに全ての支持具が無理なく取り付けられることにより、手摺りの取付状態が良くなり、取付強度も確保され、安全確実に手摺りを支持できる。更に、無理やりネジを締めるようなことがないので、取付作業も容易になり、又作業時間も短縮される。
【００２４】
なお以上では、腕と中間リングとが別体になっていて、これらの間が摺動及び回転自在になっている例を示した。このようにすれば、上記の如く容易に完全な調整をすることができる。しかし、支持具の構造の簡素化やコスト低減等のため、腕２と中心リング３との間を回転又は摺動の何れか一方だけの調整が可能な構造にすることも可能である。更に、両者を一体に形成してもよい。
【００２５】
例えば腕２とリング３とを一体形成した場合には、角度調整ネジ５のみによって全ての調整をすることになる。このときには、例えば中間リング３部分の外側からネジ１１を締付可能にし、支持基板を壁面にネジ止めするときに、手摺りと取付面間の手摺り長さ方向の一致性を調整しておく。この調整は、ピン針１５を中心として支持基板１を少しづつ回転させ、腕の取付面が手摺りの長さ方向に向くようにする。このような調整は従来の支持具と同様である。
【００２６】
この状態で両端の支持具上に手摺りを載せ、角度調整ネジ５により、手摺りが壁面から同程度の間隔になると共に支持面２１と手摺り２００とが沿うように、両端の支持具を微調整する。中間の支持具では、支持基板の中心位置の調整、中心を中心とした回転調整及び角度調整ネジ５による調整を並行して行ない、支持面２１と手摺りとの接触状態を安定させる。従って、このような支持具によれば、調整作業が多少面倒になり、又、多少調整精度も低下する。しかし、壁面の平坦度が悪いときでも可なりの接触調整ができ、従来のように無理やり手摺りを固定して取付状態の悪化を招くような不具合は発生しない。
【００２７】
【発明の効果】
以上の如く本発明によれば、請求項１の発明においては、固定部材を壁面に固定し、これに間隔を隔てて支持部材を対向させ、これらの間に球面状接触関係を形成する接触部を介在させ、これらの間を取付調整手段で取付け及び間隔調整可能にするので、支持部材は、固定部材を介して、球面状接触部と取付調整手段とによって壁面に対して任意の方向に傾斜可能に壁面から支持される。その結果、間隔調整手段を操作することにより、支持部材の手摺り取付面の位置や方向を調整し、手摺りと取付面とが良好に接触した状態で手摺りを支持具に取り付けることができる。
【００２８】
このような支持具を複数個用いて手摺りを支持するときに、それらを全て調整してそれぞれの接触状態を良好にすれば、全ての取付面が手摺りに均一に接触してほぼ均一に荷重分担した状態で手摺りを固定でき、無理な曲げ力等もかからないので、手摺りの直線性を確保できる。又、手摺りの取付状態が良くなり、取付強度も得られる。更に、無理な固定作業がなくなるので、取付作業も容易になり、作業時間も短縮される。
【００２９】
請求項２の発明においては、上記に加えて、支持部材の手摺り側部分と壁側部分とを別体として、これらを手摺り側部分が壁面に対してほぼ直角の方向に移動可能な支持関係にすると共に、その移動を可能にする距離調整手段を設けるので、手摺りの壁からの距離の調整が容易になる。その結果、この調整と支持部材の傾斜調整とを組合せて、一層容易且つ精度の高い調整を行うことができる。
【００３０】
請求項３の発明においては、請求項１の発明に加えて、支持部材を手摺り側部分と壁側部分とに分離して、これらを、手摺り側部分が壁面に対してほぼ直角の方向の軸を中心として回転可能な支持関係にするので、取付部が壁面に並行な方向に回転自在となり、手摺りの長さ方向においては取付部が手摺りの表面に倣って自動調整される。従って、調整が一層容易になり精度向上を図ることができる。又、回転自在な構造と上記の距離調整手段とを組み合わせれば、最も簡単に且つ完全な調整を行うことができる。
【図面の簡単な説明】
【図１】本発明を適用した手摺り支持具の一例を示す断面図である。
【図２】（ａ）乃至（ｃ）は、上記手摺り支持具の側面図、支持基板の平面図及び前後調整ネジの側面図である。
【符号の説明】
１            支持基板（固定部材）
２            腕（手摺り側部分、支持部材）
３            中間リング（壁側部分、支持部材）
４            ボール（固定部材側接触部）
５            角度調整ネジ（取付調整手段）
６            前後調整ネジ（距離調整手段）
１３          ネジ穴（取付調整手段）
２１          取付面
３１          接触座（支持部材側接触部）
３４          皿穴（取付調整手段）
３７          軸
【図１】
0003649816.tif 000002
【図２】
0003649816.tif 000003